(57)【要約】【課題】  本発明は魚釣用リールに係り、釣糸に損傷を与えることなく確実に係止でき、また、「ポイントメモリー」として使用した場合に、装置自体が損傷せず、同時に釣糸の損傷や切断を防止できる釣糸係止装置を備えた魚釣用リールを提供することを目的とする。【解決手段】  請求項１に係る発明は、魚釣用リールの構成部材の適宜部位に設けた貫通孔に、釣糸係止部と軸部を有する釣糸係止部材の該軸部を挿入し、これをバネ部材で弾性的に抜け止め係止して、前記構成部材と釣糸係止部との間に釣糸を挟持する釣糸係止装置とした魚釣用リールに於て、前記構成部材と釣糸係止部との間に、緩衝部材を装着したことを特徴とする。そして、請求項２に係る発明は、請求項１に記載の魚釣用リールに於て、前記釣糸係止部を、金属材で形成したことを特徴とし、請求項３に係る発明は、請求項１または請求項２に記載の魚釣用リールに於て、前記釣糸係止部と緩衝部材との間に、空間部を設けた。【選択図】    図３
2008289409.tif 000002
【特許請求の範囲】
【請求項１】
魚釣用リールの構成部材の適宜部位に設けた貫通孔に、釣糸係止部と軸部を有する釣糸係止部材の該軸部を挿入し、これをバネ部材で弾性的に抜け止め係止して、前記構成部材と釣糸係止部との間に釣糸を挟持する釣糸係止装置とした魚釣用リールに於て、
前記構成部材と釣糸係止部との間に、緩衝部材を装着したことを特徴とする魚釣用リール。
【請求項２】
前記釣糸係止部を、金属材で形成したことを特徴とする請求項１に記載の魚釣用リール。
【請求項３】
前記釣糸係止部と緩衝部材との間に、空間部を設けたことを特徴とする請求項１または請求項２に記載の魚釣用リール。
【請求項４】
前記構成部材の貫通孔の開口縁部に、凹部を設けたことを特徴とする請求項１乃至請求項３のいずれか１項に記載の魚釣用リール。
【発明の詳細な説明】
【技術分野】
【０００１】
本発明は、釣糸を係止する釣糸係止装置を備えた魚釣用リールに関する。
【背景技術】
【０００２】
特許文献１または特許文献２に開示されるように、従来、魚釣用リールには、両軸受リールの側板やスピニングリールのスプール等、リールを構成する構成部材の適宜部位に、釣糸を係止する釣糸係止装置（糸止め；ラインクリップ）が設けられている。
【０００３】
図８及び図９に示すように、特許文献１に開示された釣糸係止装置１は、リール本体３の側板５に設けた取付孔（貫通孔）７に、貫通孔９を有するラインホルダー受１１を装着すると共に、大径頭部１３ａを有するラインホルダー１３の軸部１３ｂを前記貫通孔９に上下方向にスライド可能に挿入して、該軸部１３ｂをバネ部材１５で弾性係止したもので、該バネ部材１５の弾性力を利用して、ラインホルダー１３の大径頭部１３ａとラインホルダー受１１との間で釣糸を抜け止め係止できるようになっている。
【０００４】
また、図１０に示すように、特許文献２に開示された釣糸係止装置１７は、一例としてスピニングリールのスプール１９に貫通孔２１を設け、該貫通孔２１に、胴体部２３ａの一端側に抜止め鍔部２３ｂ、他端側に釣糸係止鍔部２３ｃが一体形成されたゴム製の釣糸係止部材２３を挿着したもので、図示するように釣糸係止鍔部２３ｃとスプール１９との間に釣糸２５を挿入して、釣糸２５を弾性的に抜け止め係止できるようになっている。
【特許文献１】実公平４−８７８０号公報
【特許文献２】特許第３３３０４８１号公報
【発明の開示】
【発明が解決しようとする課題】
【０００５】
しかし乍ら、図９の釣糸係止装置１は、バネ部材１５の弾性力を利用して、ラインホルダー１３の大径頭部１３ａとラインホルダー受１１との間で釣糸を挟持する構造上、釣糸が外れ易く、また、バネ部材１５のバネ力を強くすると、釣糸が変形，損傷してしまうと共に、釣糸を係止し難くなってしまう欠点があった。
【０００６】
また、従来から、釣糸を所定量繰り出した処で、スピニングリールのスプールに装着した釣糸係止装置に釣糸を係止して再繰出し時の棚取りを行う、所謂「ポイントメモリー」として釣糸係止装置を使用する場合があるが、この再繰出し時に釣糸の繰出しが係止位置で停止するとき、前記釣糸係止装置１にあっては、ラインホルダー１３の係止部（大径頭部１３ａ）に急激な負荷（ラインテンション）が加わってラインホルダー１３が損傷したり、ラインホルダー受１１との間に釣糸が食い込んで釣糸が損傷，切断されてしまう等の問題があった。
【０００７】
一方、特許文献２に開示された釣糸係止装置１７は、ゴム製の釣糸係止部材２３を用いることで、前記構成部材１９と釣糸係止鍔部２３ｃとの間に釣糸を容易に挿入係止することができるものの、該釣糸係止鍔部２３ｃの外周縁部が容易に変形して釣糸が外れ易く、釣糸係止の確実性に欠ける不具合が指摘されている。
【０００８】
更に、既述した「ポイントメモリー」として釣糸係止装置１７を使用した場合、釣糸係止部材２３自体が、急激な負荷の影響で構成部材１９から脱落してしまう虞があり、実用面で課題を残している。
【０００９】
本発明は斯かる実情に鑑み案出されたもので、釣糸に損傷を与えることなく確実に係止でき、また、「ポイントメモリー」として使用した場合に、装置自体が損傷せず、同時に釣糸の損傷や切断を防止できる釣糸係止装置を備えた魚釣用リールを提供することを目的とする。
【課題を解決するための手段】
【００１０】
斯かる目的を達成するため、請求項１に係る発明は、魚釣用リールの構成部材の適宜部位に設けた貫通孔に、釣糸係止部と軸部を有する釣糸係止部材の該軸部を挿入し、これをバネ部材で弾性的に抜け止め係止して、前記構成部材と釣糸係止部との間に釣糸を挟持する釣糸係止装置とした魚釣用リールに於て、前記構成部材と釣糸係止部との間に、緩衝部材を装着したことを特徴とする。
【００１１】
そして、請求項２に係る発明は、請求項１に記載の魚釣用リールに於て、前記釣糸係止部を、金属材で形成したことを特徴とし、請求項３に係る発明は、請求項１または請求項２に記載の魚釣用リールに於て、前記釣糸係止部と緩衝部材との間に、空間部を設けたことを特徴とする。
【００１２】
更に、請求項４に係る発明は、請求項１乃至請求項３のいずれか１項に記載の魚釣用リールに於て、前記構成部材の貫通孔の開口縁部に、凹部を設けたことを特徴とする。
【発明の効果】
【００１３】
請求項１に係る発明によれば、釣糸係止部を構成部材側に付勢するバネ部材のバネ力と、緩衝部材の弾発の相乗作用によって、損傷を抑え乍ら釣糸を確実に係止することができる。
【００１４】
また、釣糸係止装置を「ポイントメモリー」として利用した場合、釣糸に急激な負荷（ラインテンション）が加わっても、緩衝部材が撓んで釣糸に加わる負荷を低減させるため、釣糸係止部の破損や釣糸の損傷，切断を確実に防止することができる。
【００１５】
そして、請求項２に係る発明によれば、釣糸係止部材を金属材料で形成した結果、過酷な条件下でも支障なく使用できると共に、内部の緩衝部材の強度的保護が図れる利点を有する。
【００１６】
また、請求項３に係る発明によれば、釣糸に急激な負荷が加わった際に、緩衝部材が空間部側に大きく撓むことができるため、釣糸係止部の破損や釣糸の損傷，切断をより確実に防止することができる。
【００１７】
そして、請求項４に係る発明によれば、釣糸が凹部内に落とし込まれて挟持係止されるため、釣糸の係止保持を無理なく確実に行うことができる。
【発明を実施するための最良の形態】
【００１８】
以下、本発明の実施形態を図面に基づいて詳細に説明する。
【００１９】
図１乃至図４は請求項１乃至請求項４に係る発明をスピニングリールに適用した第一実施形態を示し、図１に於て、３１は軸受を介してリール本体３３内に回転可能に軸支された中空なフライヤ軸で、その先端にロータ３５が、図示しない公知のナットで固定されている。
【００２０】
また、フライヤ軸３３の後端のピニオン３７に、ハンドル３９のハンドル軸４１に固着した駆動歯車４３が噛合しており、ハンドル３９の回転操作が駆動歯車４３，ピニオン３７からフライヤ軸３１に伝達されて、ロータ３５が回転するようになっている。
【００２１】
そして、ロータ３５の基部には、一対の支持アーム４５がリール本体３３の前方へ一体に延設されており、両支持アーム４５の先端に、ベール支持部材４７が釣糸巻取り位置と釣糸放出位置とに反転自在に取り付けられている。そして、両ベール支持部材４７の間に半環状のベール４９が取り付き、一方のベール支持部材４７に釣糸案内部（ラインローラ）が回転可能に装着されている。
【００２２】
また、図１中、５１はフライヤ軸３１を挿通してリール本体３３に取り付くスプール軸で、スプール軸５１は、その後端部に固着した摺動子５３やトラバースカム軸５５，前記ピニオン３７に噛合する従動歯車５７等からなる周知のトラバース機構５９により、ハンドル３９の巻取り操作（ロータ３５の回転）に連動してリール本体３３の前後方向へ往復動するようになっている。
【００２３】
そして、スプール軸５１の先端に、スプール（スピニングリールの構成部材）６１が回り止め嵌合または公知のドラグ機構によって摩擦結合されている。
【００２４】
図１及び図２に示すようにスプール６１は、テーパー状（前方に向け漸次小径）に形成された釣糸巻回胴部６３と、その前方に一体形成された前側フランジ部６５と、釣糸巻回胴部６３の後方に一体形成された筒状のスカート部６７とで構成され、該スカート部６７に釣糸係止装置６９が設けられている。
【００２５】
即ち、図１乃至図４に示すように、前記スカート部６７の外周に、釣糸巻回胴部６３側に向けて平面視略Ｖ字状の切欠き凹部７１が形成され、該切欠き凹部７１のやや釣糸巻回胴部６３側底部中央に貫通孔７３が設けられている。そして、該貫通孔７３に、ステンレス製の釣糸係止部材（ラインクリップ）７５が弾性的に抜け止め係止されている。
【００２６】
図３に示すように釣糸係止部材７５は、車両の内燃機関の吸排気系に使用される吸排気弁の如き形状をなし、上面が断面円弧状に形成された平面視円形状の釣糸係止部７７と、該釣糸係止部７７の中央から下方へ延設された軸部７９とで構成されている。
【００２７】
そして、軸部７９の先端側外周溝７９ａに係止したストッパ（Ｅ型止め輪等）８１とスカート部６７の内周との間にコイルバネ（バネ部材）８３が巻装されており、該コイルバネ８３のバネ力で、釣糸係止部７７が切欠き凹部７１の底部８５に圧接する方向（スプール６１の径方向内方）へ付勢されている。そして、前記ストッパ８１によって、釣糸係止部材７５は貫通孔７３からの抜け止めが図られている。
【００２８】
また、図３中、８７は釣糸係止部材７５とスカート部６７との間に装着された緩衝部材（ライン保護用クッションパーツ）で、該緩衝部材８７は、前記軸部７９を中心に釣糸係止部７７の裏面側に設けられた環状凹部８９内に収納される環状のフランジ部９１と、該フランジ部９１に一体形成されて前記軸部７９が挿通する筒状部９３とからなり、緩衝部材８７は弾性変形可能で比較的硬質な樹脂材料（例えば、アセタール樹脂やＡＢＳ樹脂等）で形成されている。
【００２９】
そして、フランジ部９１の周縁部には、前記環状凹部８９の底部９５に当接する環状突起９７が立設されており、図３に示すように釣糸係止装置６９の非使用時に、該環状突起９７が環状凹部８９の底部９５に当接して、フランジ部９１（緩衝部材８７）と釣糸係止部７７（釣糸係止部材７５）との間に空間部９９が設けられている。そして、既述したようにコイルバネ８３のバネ力で、釣糸係止部７７が切欠き凹部７１の底部８５に圧接する方向へ付勢されているが、図３に示すように釣糸係止装置６９の非使用時に、コイルバネ８３のバネ力で、緩衝部材８７のフランジ部９１が釣糸係止部７７によって切欠き凹部７１の底部８５に圧接されている。
【００３０】
更に、図３に示すように貫通孔７３の切欠き凹部７１側の開口縁部に凹部１０１が設けられており、図４の如く釣糸１０３を切欠き凹部７１と釣糸係止部材７５，緩衝部材８７との間から凹部１０１内に案内すると、緩衝部材８７のフランジ部９１が前記空間部９９を利用して変形し乍ら、釣糸１０３が凹部１０１内に落とし込まれて、該凹部１０１の形状とフランジ部９１の弾性力及び釣糸係止部７７をスプール６１側に付勢するコイルバネ８３のバネ力によって、釣糸１０３が確実に係止されるようになっている。
【００３１】
その他、図１及び図３に示すように、釣糸係止部７７には６個のデザイン穴１０５が同一円周上に設けられている。そして、前記緩衝部材７５の少なくともフランジ部９１の表面は例えば赤色に着色され、各デザイン穴１０５を通して内側の赤いフランジ部９１が視認できるようになっている。
【００３２】
本実施形態に係るスピニングリール１０７に装着した釣糸係止装置６９はこのように構成されており、従来と同様、実釣に当たりベール４９を釣糸放出位置へ倒して釣竿を振り下ろせば、釣糸巻回胴部６３に巻回された釣糸１０３がスパイラル状に解かれて前方へ繰り出され、ハンドル３９の巻取り操作に伴いベール４９を釣糸巻取り位置へ反転させれば、釣糸がベール４９から釣糸案内部に案内されて、ロータ３５の回転に連動して前後方向へ往復動するスプール６１に釣糸が巻回される。
【００３３】
そして、釣糸係止装置６９に釣糸１０３を係止するには、図４の如く釣糸１０３を切欠き凹部７１と釣糸係止部材７５（釣糸係止部７７），緩衝部材８７との間から凹部１０１内に案内すればよく、緩衝部材８７のフランジ部９１が空間部９９を利用して変形し乍ら、釣糸１０３が凹部１０１内に落とし込まれて、該凹部１０１の形状とフランジ部９１の弾性力及び釣糸係止部７７をスプール６１側に付勢するコイルバネ８３のバネ力で、釣糸１０３が凹部１０１内に無理なく確実に係止される。
【００３４】
また、釣糸係止装置６９を「ポイントメモリー」として利用した場合に、釣糸１０３に急激な負荷（ラインテンション）が加わると、図４の如く空間部９９内で緩衝部材８７のフランジ部９１が撓んで（弾性変形して）、釣糸１０３に加わる負荷を低減させる。
【００３５】
そして、スピニングリール１０７をはじめこの種の魚釣用リールは過酷な条件下で使用されるが、金属材料で形成された釣糸係止部材７５が、内部の樹脂製の緩衝部材８７を保護し、また、該釣糸係止部材７５の釣糸係止部７７に設けたデザイン穴１０５を通して内側の赤いフランジ部９１が視認できるため、釣糸係止装置６９が意匠的なアクセントとなって美観を向上させ、購買者の目を引くこととなる。
【００３６】
このように本実施形態に係る釣糸係止装置６９によれば、
[1]凹部１０１の形状とフランジ部９１の弾性力及び釣糸係止部７７をスプール６１側に付勢するコイルバネ８３のバネ力の相乗作用によって、損傷を抑え乍ら釣糸１０３を確実に係止することができ、また、釣糸１０３は凹部１０１内に落とし込まれて挟持係止されるため、釣糸１０３の係止保持を無理なく確実に行うことができる。
【００３７】
[2]また、釣糸係止装置６９を「ポイントメモリー」として利用した場合、釣糸１０３に急激な負荷（ラインテンション）が加わると、空間部９９内で緩衝部材８７のフランジ部９１が撓んで釣糸１０３に加わる負荷を低減させるため、釣糸係止部７７の破損や釣糸１０３の損傷，切断を確実に防止することができる。
【００３８】
[3]そして、釣糸係止部材７５は金属材料で形成されているため、過酷な条件下でも支障なく使用できると共に、内部の樹脂製の緩衝部材８７の強度的保護が図れる利点を有する。
【００３９】
[4]更に、釣糸係止部７７に設けたデザイン穴１０５を通して内側の赤いフランジ部９１が視認できるため、釣糸係止装置６９が意匠的なアクセントとなって美観を向上させ、この結果、購買者の目を引いて購買意欲を刺激する効果が期待できる。
【００４０】
尚、緩衝部材の形状は前記実施形態に限定されず、例えば、図５に示す請求項１乃至請求項４の第二実施形態に係る釣糸係止装置１０９のように、緩衝部材１１１を、前記緩衝部材８７と同一材料を用いて、釣糸係止部７５に設けた環状凹部８９内に収納可能で、該釣糸係止部材７５の軸部７９が挿通する平面視ドーナツ状に形成すると共に、その外周と内周に、夫々、環状凹部８９の底部９５に当接する環状のフランジ部１１３，１１５を設けて、緩衝部材１１１と釣糸係止部７７との間に空間部９９を設けてもよい。
【００４１】
尚、その他の構成は図１の実施形態と同様であるので、同一のものには同一符号を付してそれらの説明は省略する。
【００４２】
而して、本実施形態によっても、前記実施形態と同様、所期の目的を達成することが可能であり、また、緩衝部材１１１の表面を着色すれば、釣糸係止部７７に設けたデザイン穴１０５を通して着色された緩衝部材１１１が視認できるため、意匠的なアクセントとなって美観を向上させることができる。
【００４３】
また、図６は請求項１，請求項２及び請求項４の一実施形態に係るスピニングリールに装着した釣糸係止装置を示し、この釣糸係止装置１１７は、前記緩衝部材１１１に代え、緩衝部材１１９をゴム材を用いて平面視ドーナツ状に形成すると共に、釣糸係止装置１１７の非使用時に、緩衝部材１１９が環状凹部８９の底部９５と切欠き凹部７１の底部８５とに当接可能な肉厚に形成したもので、本実施形態では、釣糸係止部材７５-1の釣糸係止部７７-1にデザイン穴は形成されていない。
【００４４】
尚、本実施形態に於ても、その他の構成は図１の実施形態と同様であるので、同一のものには同一符号を付してそれらの説明は省略する。
【００４５】
本実施形態の釣糸係止装置１１７はこのように構成されているから、該釣糸係止装置１１７に釣糸を係止するには、釣糸を切欠き凹部７１と釣糸係止部材７５-1，緩衝部材１１９との間から凹部１０１内に案内すればよく、緩衝部材１１９が変形し乍ら釣糸が凹部１０１内に落とし込まれて、該凹部１０１の形状と緩衝部材１１９の弾性力及び釣糸係止部７７-1をスプール６１側に付勢するコイルバネ８３のバネ力で、釣糸が凹部１０１内に無理なく確実に係止される。
【００４６】
また、釣糸係止装置１１７を「ポイントメモリー」として利用した場合、釣糸に急激な負荷（ラインテンション）が加わると、緩衝部材１１９が撓んで釣糸に加わる負荷を低減させる。
【００４７】
そして、金属材料で形成された釣糸係止部材７５-1が、内部の緩衝部材１１９を保護する。
【００４８】
従って、本実施形態に係る釣糸係止装置１１７によっても、既述した各実施形態と同様、所期の目的を達成することが可能で、釣糸の係止保持を無理なく確実に行うことができ、また、「ポイントメモリー」として利用した場合に、釣糸係止部７７-1の破損や釣糸の損傷，切断を確実に防止することができる。
【００４９】
図７は請求項１乃至請求項４に係る発明を両軸受リールに適用した第三実施形態を示し、図中、１２１，１２３はフレーム１２５の左右のフレーム枠体１２５ａ，１２５ｂに取り付く側板（両軸受リールの構成部材）で、両側板１２１，１２３とフレーム１２５とによって両軸受リール１２７のリール本体１２９が構成されている。
【００５０】
そして、両側板１２１，１２３間に、スプール軸１３１を介してスプール１３３が回転自在に支持されており、従来周知のようにハンドル１３５の巻き取り操作で、該スプール１３３が釣糸巻取り方向へ回転するようになっているが、本実施形態は、反ハンドル側の側板１２１の上部前方に切欠き凹部７１を設け、該切欠き凹部７１に図１の実施形態と同一構造の釣糸係止装置６９を装着したものである。
【００５１】
従って、本実施形態に於ても、図１の釣糸係止装置６９と同様、所期の目的を達成することが可能で、釣糸の係止保持を無理なく確実に行うことができると共に、「ポイントメモリー」として利用した場合に、釣糸係止部７７の破損や釣糸の損傷，切断を確実に防止することができる利点を有する。
【００５２】
尚、既述した各実施形態では、釣糸係止部材７５，７５-1を金属材料で形成したが、金属材料に代え、釣糸係止部材を緩衝部材７５と同一の樹脂材料等で形成してもよい。
【図面の簡単な説明】
【００５３】
【図１】請求項１乃至請求項４の第一実施形態に係るスピニングリールの側面図である。
【図２】スプールの要部切欠き断面図である。
【図３】釣糸係止装置の拡大断面図である。
【図４】釣糸係止装置の拡大断面図である。
【図５】請求項１乃至請求項４の第二実施形態に係るスピニングリールに装着した釣糸係止装置の拡大断面図である。
【図６】請求項１，請求項２及び請求項４の一実施形態に係るスピニングリールに装着した釣糸係止装置の拡大断面図である。
【図７】請求項１乃至請求項４の第三実施形態に係る両軸受リールの平面図である。
【図８】従来の釣糸係止装置を備えた両軸受リールの斜視図である。
【図９】従来の釣糸係止装置の拡大断面図である。
【図１０】従来の他の釣糸係止装置の拡大断面図である。
【符号の説明】
【００５４】
３１  フライヤ軸
３３  リール本体
３５  ロータ
３９  ハンドル
４５  支持アーム
４９  ベール
５１，１３１  スプール軸
５９  トラバース機構
６１，１３３  スプール
６３  釣糸巻回胴部
６５  前側フランジ部
６７  スカート部
６９，１０９，１１７  釣糸係止装置
７１  切欠き凹部
７３  貫通孔
７５，７５-1  釣糸係止部材
７７，７７-1  釣糸係止部
７９  軸部
８１  ストッパ
８３  コイルバネ
８７，１１１，１１９  緩衝部材
９１，１１３，１１５  フランジ部
９３  筒状部
９７  環状突起
９９  空間部
１０１  凹部
１０３  釣糸
１０５  デザイン穴
１０７  スピニングリール
１２１，１２３  側板
１２５  フレーム
１２７  両軸受リール
【図１】
2008289409.tif 000003
【図２】
2008289409.tif 000004
【図３】
2008289409.tif 000005
【図４】
2008289409.tif 000006
【図５】
2008289409.tif 000007
【図６】
2008289409.tif 000008
【図７】
2008289409.tif 000009
【図８】
2008289409.tif 000010
【図９】
2008289409.tif 000011
【図１０】
2008289409.tif 000012